(57)【要約】【課題】可動翼片を閉鎖位置に確実に保持することができるようする。【解決手段】可動翼片２１を開閉動作させるための開閉機構３０は、ソレノイド３２と、可動翼片２１と一体的に第１回転軸３７回りに揺動可能なカムレバー３８と、ソレノイド３２のオン、オフによる作動に連動して第２回転軸３５回りに揺動することにより、カムレバー３８を介して、可動翼片２１を閉鎖位置から開放位置へ、及びその逆へ揺動させ得る中継リンク３６とを備える。中継リンク３６は、ソレノイド３２がオフ状態にあるとき、カムレバー３８に設けたカム部３８２に係合して可動翼片２１の開方向への揺動を阻止する阻止部３６１と、ソレノイド３２のオンによる作動に連動して第２回転軸３５回りに所定量揺動し、阻止部３６１をカム部３８２から離脱させた後、カムレバー３８に設けた係合部３８４に係合して、可動翼片２１を閉鎖位置に揺動させる被係合部３６２とを有する。  【選択図】  図５
2008295640.tif 000002
【特許請求の範囲】
【請求項１】
遊技領域に打ち込まれる遊技球が、開閉機構の動作により入球し得る開放位置及び入球し得ない閉鎖位置に揺動可能な可動翼片を備えたパチンコ機の入賞装置において、
前記開閉機構は、ソレノイドと、前記可動翼片と一体的に第１回転軸回りに揺動可能なカムレバーと、前記ソレノイドのオン、オフによる作動に連動して第２回転軸回りに揺動することにより、前記カムレバーを介して、前記可動翼片を前記閉鎖位置から前記開放位置へ、及びその逆へ揺動させ得る中継リンクとを備え、
前記中継リンクは、前記ソレノイドがオフ状態にあるとき、前記カムレバーに設けたカム部に係合して前記可動翼片の開方向への揺動を阻止する阻止部と、前記ソレノイドのオンによる作動に連動して前記第２回転軸回りに所定量揺動し、前記阻止部を前記カム部から離脱させた後、前記カムレバーに設けた係合部に係合して、前記可動翼片を閉鎖位置に揺動させる被係合部とを有することを特徴とするパチンコ機の入賞装置。
【請求項２】
前記阻止部が前記カム部に係合する点を作用点とすると、その作用点と前記第２回転軸の中心とを結んだ直線が、前記作用点と前記第１回転軸の中心とを結んだ直線に対してほぼ直角になるようにしたことを特徴とする請求項１記載のパチンコ機の入賞装置。
【発明の詳細な説明】
【技術分野】
【０００１】
本発明は、遊技領域に打ち込まれる遊技球が入球し得る開放位置及び入球し得ない閉鎖位置に揺動可能な可動翼片を備えたパチンコ機の入賞装置に関する。
【背景技術】
【０００２】
パチンコ機においては、遊技領域内に打ち込まれた遊技球が始動入賞口に入賞すると、それを契機に遊技領域のほぼ中央部に配置された役物の可動翼片が、遊技球を役物内に入球不能とする閉鎖位置から入球可能とする開放位置に移動し、役物内に入球した遊技球が役物内に設けたＶ入賞口に入賞すると、遊技者に対して有利な特別遊技の権利を発生させるようになっている。
【０００３】
通常、可動翼片を開閉動作させる動力源としては、通電すると直進動作するプランジャを有するソレノイドが使用されている。このソレノイドは、通電されてプランジャが突出位置から没入位置へ直進運動することによって、プランジャに連結された連結レバーを介して可動翼片を閉鎖位置から開方向へ移動させ、また、通電を停止するとばねの付勢力によってプランジャが突出位置に復帰して可動翼片を閉鎖位置に保持する。
【０００４】
さらには、可動翼片と一体的に移動するピンが、可動翼片が開方向へ所定量動くと、連結レバーに設けた係合孔の拡径部に係合することによって、遊技領域に打ち込まれた遊技球が可動翼片に衝突する等して、可動翼片がばね力に抗して閉鎖位置から開方向へ妄りに移動しないようにロックする。
【特許文献１】特開２００１−３２７７１４号公報
【発明の開示】
【発明が解決しようとする課題】
【０００５】
しかし、上記特許文献１に記載されたパチンコ機の入賞装置においては、可動翼片が閉鎖位置から開方向へ所定量動いて、ピンが係合孔の拡径部に係合することによって可動翼片の開方向への動きを阻止するため、ピンが拡径部に係合するまでの間、可動翼片の開方向への動きが自由であり、これが原因で可動翼片が開方向へがた付き、可動翼片を確実に閉鎖位置に保持することはできない。
【０００６】
本発明は、上述のような問題に鑑みなされたものであり、可動翼片を閉鎖位置に確実に保持することができるようにしたパチンコ機の入賞装置を提供することを目的とする。
【課題を解決するための手段】
【０００７】
本発明によると、上記課題は次のようにして解決される。
（１）遊技領域に打ち込まれる遊技球が、開閉機構の動作により入球し得る開放位置及び入球し得ない閉鎖位置に揺動可能な可動翼片を備えたパチンコ機の入賞装置において、前記開閉機構は、ソレノイドと、前記可動翼片と一体的に第１回転軸回りに揺動可能なカムレバーと、前記ソレノイドのオン、オフによる作動に連動して第２回転軸回りに揺動することにより、前記カムレバーを介して、前記可動翼片を前記閉鎖位置から前記開放位置へ、及びその逆へ揺動させ得る中継リンクとを備え、前記中継リンクは、前記ソレノイドがオフ状態にあるとき、前記カムレバーに設けたカム部に係合して前記可動翼片の開方向への揺動を阻止する阻止部と、前記ソレノイドのオンによる作動に連動して前記第２回転軸回りに所定量揺動し、前記阻止部を前記カム部から離脱させた後、前記カムレバーに設けた係合部に係合して、前記可動翼片を閉鎖位置に揺動させる被係合部とを有する。
【０００８】
（２）上記(１)項において、前記阻止部が前記カム部に係合する点を作用点とすると、その作用点と前記第２回転軸の中心とを結んだ直線が、前記作用点と前記第１回転軸の中心とを結んだ直線に対してほぼ直角になるようにする。
【発明の効果】
【０００９】
本発明によると、次のような効果を奏することができる。
請求項１記載の発明によると、中継リンクの阻止部がカムレバーに設けたカム部に係合することによって、可動翼片を閉鎖位置に確実に保持して、その開方向への動きを確実に阻止することができる。
【００１０】
請求項２記載の発明によると、簡単な構成により、可動翼片の開方向への動きを確実に阻止することができる。
【発明を実施するための最良の形態】
【００１１】
以下、本発明に係る一実施形態を図面に基づいて説明する。図１は、本発明を適用したパチンコ機１の正面図である。なお、以下の説明においては、図１において図面手前を「前方又は表面」とし、図面奧を「後方又は裏面」とし、左方を「左方」とし、右方を「右方」とする。
【００１２】
パチンコ機１は、遊技施設に据付けられる外枠２と、外枠２内に固定され、表面に外側ガイドレール３と内側ガイドレール４とによって包囲された円形状の遊技領域５を形成した遊技盤６と、遊技盤６の表面を開閉可能に覆うとともに、外枠２に支持されたガラス枠扉７とを備えている。
【００１３】
ガラス枠扉７の下方に設けられた球供給皿８に貯留されている遊技球は、ガラス枠扉７の右下に設けられた操作ハンドル９を回動操作することによって、発射装置（図示略）から発射されて、外側ガイドレール３及び内側ガイドレール４により誘導されて遊技領域５に打込まれ、遊技領域５に植設された多数の遊技釘に当接しながら流下する。なお、遊技釘は図面簡素化のため省略してある。
【００１４】
遊技領域５のほぼ中央部には、遊技領域５に打込まれた遊技球を内部に受入可能な役物２０が配置されている。役物２０の上部には、遊技領域５に打ち込まれる遊技球が役物２０内に入球し得る開放位置（図１に実線で示す位置）及び入球し得ない閉鎖位置（図１に想像線で示す位置）に揺動可能な左右の可動翼片２１が設けられている。遊技領域５における役物２０の下方には、遊技球が入賞または通過可能な第１始動入賞口１０及び左右の第２始動入賞口１１がそれぞれ配置されている。さらに遊技領域５の最下部には、遊技領域５に打込まれた遊技球を遊技盤６の裏面側に排出するアウト口１２が設けられている。
【００１５】
図２は、役物２０を斜め後方から見たその斜視図、図３は、可動翼片２０を開閉動作させるための開閉機構３０の斜視図、図４は、開閉機構３０の分解斜視図である。なお、左右の開閉機構３０は同一構造であるので、左側の可動翼片２１を作動させる開閉機構３０についてのみ説明する。
【００１６】
役物２０は、遊技領域５に固定され、前面が開口した箱形のハウジング２２を備えている。ハウジング２２の上部には、左右の可動翼片２１が前後方向を向く第１回転軸３７により上下方向へ揺動可能に枢支されている。可動翼片２１は、第１始動入賞口１０または第２始動入賞口１１に遊技球が入球したことを契機に、開閉機構３０により所定回数開閉動作を行なう。
【００１７】
可動翼片２１は、閉鎖位置にあるとき、揺動端が斜め上方を向く姿勢にあり、また、開放位置にあるとき、ほぼ水平姿勢となって、ハウジング２２の上部を一時的に開放して、遊技領域５に打ち込まれた遊技球が役物３０、すなわちハウジング２２内に入球する確率を高くする。ハウジング２２内に入球した遊技球が、ハウジング２２内に設けたＶ入賞口（図示略）に入賞すると、それを契機に、可動翼片２１が所定回数開閉動作を繰り返す等して、遊技者にとって有利な特別遊技状態が発生して、遊技者に所定の遊技価値を付与する。
【００１８】
開閉機構３０は、ハウジング２２の上部に固定されるベースプレート３１と、プランジャ４１が左右方向へ直進移動可能なソレノイド３２と、ソレノイド３２のプランジャ４１に連結される連結レバー３３と、連結レバー３３を介してプランジャ４１に連結される中継リンク３６と、可動翼片２１と一体的に揺動可能なカムレバー３８とを備えている。
【００１９】
ソレノイド３２は、ベースプレート３１に固定されるヨーク４０と、ヨーク４０に左右方向へ移動可能に支持されるプランジャ４１を有している。プランジャ４１は、ヨーク４０との間に介装される円錐状のコイルばね４３により突出方向（図５〜図８において右方）へ付勢され、ソレノイド３２がオンすると、コイルばね４３の付勢力に抗して、突出位置（図５参照）から左方へ移動し、また、オフするとコイルばね４３の付勢力により突出位置に復帰する。
【００２０】
連結レバー３３は、その右端部がプランジャ４１に前後方向を向く連結軸３９により枢着され、ソレノイド３２のオン、オフによるプランジャ４１の左右方向への移動に伴って、ヨーク４０の上面に沿って左右方向へ移動する。
【００２１】
中継リンク３６は、ベースプレート３１に前後方向を向く第２回転軸３５により上下方向へ揺動可能に枢支されるとともに、連結レバー３３の作用端（左端部）に前後方向を向く連結軸３４により回動可能に連結され、ソレノイド３２のオン、オフによりプランジャ４１が左右方向へ移動すると、連結レバー３３を介して、左斜め上方を向く斜め姿勢のロック位置（図５参照）とほぼ水平姿勢の開放位置とを間を第２回転軸３５を中心に往復揺動する。中継リンク３６の揺動端部には、軸状の阻止部３６１が前方へ向けて突設され、また、同じく揺動端部と第２回転軸３５との間には、前方が開口するカム溝形状の被係合部３６２が設けられている。
【００２２】
カムレバー３８は、第１回転軸３７を介して可動翼片２１と一体的に開放位置と閉鎖位置との間を揺動するようにハウジング２２の上部に枢支されるとともに、上腕部３８１及び下腕部３８３を有する正面視ほぼＣ型をなしている。上腕部３８１の先端寄りの下縁には、中継リンク３６がロック位置にあるとき、阻止部３６１が斜め下方から係合可能なカム部３８２が設けられ、また、下腕部３８３の端部には、被係合部３６２に遊嵌する軸状の係合部３８４が後方へ向けて突設されている。さらに、上腕部３８１の先端には、下方へほぼ直角に屈曲するストッパ部３８５が設けられている。ストッパ部３８５は、阻止部３６１とカム部３８２との係合を確実にするためのものである。
【００２３】
中継レバー３６がソレノイド３２のオンによりロック位置から開方向（図５において反時計方向）へ揺動すると、図６に示すように、阻止部３６１がカム部３８２から離脱し、その後、係合部３８４が被係合部３６２の上縁に当接することによって、カムレバー３８及び可動翼片２１は開方向へ移動する。すなわち、中継レバー３６は、ソレノイド３２のオンにより、初期段階の動きで可動翼片２１及びカムレバー３８を開放位置に保持するロックを解除し、その後の動きで可動翼片２１及びカムレバー３８を開放位置に移動させる。なお、阻止部３６１がカム部３８２から離脱するまでの間、カムレバー３８の係合部３８４が被係合部３６２に係合しないように、係合部３８４は被係合部３６２に遊嵌している。
【００２４】
次に、図５〜図８に基づいて、開閉機構３０の動作を説明する。
図５に示すように、可動翼片２１及びカムレバー３８が閉鎖位置にあるときは、ソレノイド３２がオフ状態で、プランジャ４１は、コイルばね４３の付勢力により突出位置に保持され、中継リンク３６は、連結レバー３３を介してロック位置に保持されている。この状態においては、中継レバー３６の阻止部３６１がカムレバー３８のカム部３８２に係合して、カムレバー３８の閉鎖位置から開方向への移動は阻止されている。
【００２５】
この閉鎖状態を詳細に説明すると、カム部３８２が阻止部３６１に当接する点を作用点Ａとした場合、その作用点Ａと第２回転軸３５の中心とを結んだ直線Ｌ１は、作用点Ａと第１回転軸３７の中心とを結んだ直線Ｌ２に対してほぼ直角になる。したがって、中継リンク３６がロック位置にあるとき、可動翼片２１から入力される開方向への力は、中継リンク３６の回転中心である第２回転軸３５に向けて作用し、中継リンク３６を回転させる方向へは作用しない。よって、コイルばね４３の付勢力を大とすることなく、可動翼片２１及びカムレバー３８を閉鎖位置に確実に保持することができる。また、遊技領域５に打ち込まれた遊技球が可動翼片２１に衝突する等して、可動翼片２１に開方向へ移動させようとする力が作用しても、阻止部３６１がカム部３８２に係合しているため、可動翼片２１は開方向へがた付くこともない。
【００２６】
また、可動翼片２１を閉鎖位置に保持する力は、阻止部３６１をカム部３８２に係合させるだけの小さな力で十分であるため、ソレノイド３２のプランジャ３９を突出位置へ付勢するコイルばね４３を小さくすることができる。これにより、ソレノイド３２をオンしたときのプランジャ４１の吸引力不足を防止して、可動翼片２１を開放位置に確実に移動させることができる。
【００２７】
図５に示す状態において、ソレノイド３２がオンして、プランジャ４１がコイルばね４３の付勢力に抗して吸引されると、その動作は、連結レバー３３を介して中継リンク３６に伝達される。中継リンク３６がロック位置から開方向へ所定量回動すると、図６に示すように、阻止部３６１は左方へ移動してカム部３８２から離脱し、カムレバー３８及び可動翼片２１の開方向への移動を阻止するロックを解除する。そして、ロックが解除された直後、中継リンク３６の被係合部３６２の上縁が、カムレバー３８の係合部３８４に係合してカムレバー３８及び可動翼片２１を押し下げ、図６及び図７に示す状態を経由して、図８に示すように、カムレバー３８及び可動翼片２１は開放位置に移動する。
【００２８】
カムレバー３８及び可動翼片２１が開放位置に移動すると、ソレノイド３２がオフとなり、プランジャ４１がコイルばね４３の付勢力により突出位置へ復帰し、その移動が連結レバー３３を介して中継リンク３６に伝達される。中継リンク３６が開放位置からロック位置へ向けて回動すると、被係合部３６２の下縁が係合軸３８４に係合してカムレバー３８及び可動翼片２１を持ち上げ、最後の段階で阻止部３６１がストッパ部３８５に当接するとともにカム部３８２に係合することによって、カムレバー３８及び可動翼片２１は、図５に示す閉鎖位置に移動する。
【００２９】
以上、本発明の実施形態について説明したが、本発明の要旨を逸脱しない範囲内で、本実施形態に対して、次のような種々の変形や変更を施すことが可能である。
（ｉ）ソレノイド３２のプランジャ３９を中継リンク３６に直接連結する。
（ii）中継リンク３６の被係合部３６２を突状とし、カムレバー３９の係合部３８４を突状の被係合部３６２が遊嵌するカム溝状とする。
【図面の簡単な説明】
【００３０】
【図１】本発明が適用されるパチンコ機の正面図である。
【図２】役物を斜め後方から見たその斜視図である。
【図３】開閉機構の斜視図である。
【図４】開閉機構の分解斜視図である。
【図５】可動翼片が閉鎖位置にあるときの開閉機構の正面図である。
【図６】可動翼片が開閉動作中の開閉機構の正面図である。
【図７】可動翼片が開閉動作中の開閉機構の正面図である。
【図８】可動翼片が開放位置にあるときの開閉機構の正面図である。
【符号の説明】
【００３１】
１  パチンコ機
２  外枠
３  外側ガイドレール
４  内側ガイドレール
５  遊技領域
６  遊技盤
７  ガラス枠扉
８  球供給皿
９  操作ハンドル
１０  第１始動入賞口
１１  第２始動入賞口
１２  アウト口
２０  役物
２１  可動翼片
２２  ハウジング
３０  開閉機構
３１  ベースプレート
３２  ソレノイド
３３  連結レバー
３４  連結軸
３５  第２回転軸
３６  中継リンク
３７  第１回転軸
３８  カムレバー
３９  連結軸
４０  ヨーク
４１  プランジャ
４３  コイルばね
３６１  阻止部
３６２  被係合部
３８１  上腕部
３８２  カム部
３８３  下腕部
３８４  係合部
３８５  ストッパ部
Ａ  作用点
【図１】
2008295640.tif 000003
【図２】
2008295640.tif 000004
【図３】
2008295640.tif 000005
【図４】
2008295640.tif 000006
【図５】
2008295640.tif 000007
【図６】
2008295640.tif 000008
【図７】
2008295640.tif 000009
【図８】
2008295640.tif 000010